(57)【要約】【課題】本発明が解決しようとする課題は、隣り合うレーンが接近していても誤読が発生しない無線タグ読取装置およびプログラムを提供することである。【解決手段】実施形態の無線タグ読取装置は、無線タグから受信した、無線タグが記憶する複数ビットで構成される第１タグ情報を記憶する第１記憶部と、無線タグから受信した、前記第１タグ情報のうちの特定のビットより後ろの全てのビットで構成される第２タグ情報を記憶する第２記憶部と、前記第１タグ情報に含まれる前記特定のビットより後ろの所定領域の第１データと前記第２タグ情報に含まれる前記所定領域の第２データが一致した場合に前記第１タグ情報を有効なタグ情報とするタグ情報判別部と、を備える。【選択図】図９
2020112987.tif 000002
【特許請求の範囲】
【請求項１】
無線タグから受信した、無線タグが記憶する複数ビットで構成される第１タグ情報を記憶する第１記憶部と、
無線タグから受信した、前記第１タグ情報のうちの特定のビットより後ろの全てのビットで構成される第２タグ情報を記憶する第２記憶部と、
前記第１タグ情報に含まれる前記特定のビットより後ろの所定領域の第１データと前記第２タグ情報に含まれる前記所定領域の第２データが一致した場合に前記第１タグ情報を有効なタグ情報とするタグ情報判別部と、
を備えた無線タグ読取装置。
【請求項２】
前記所定領域は前記第１タグ情報および前記第２タグ情報の一部であるヘッダ情報と企業名情報と商品を特定する商品特定情報と前記無線タグが付された個品を一意に特定する個品特定情報とを含む、
請求項１に記載の無線タグ読取装置。
【請求項３】
前記特定のビットは、前記第１タグ情報に含まれるヘッダの特定の位置のビットを示すビットデータである、
請求項２に記載の無線タグ読取装置。
【請求項４】
前記タグ情報判別部が有効とした前記第１タグ情報を販売データ処理装置に送信する送信部、をさらに備えた、
請求項１乃至３のいずれか一に記載の無線タグ読取装置。
【請求項５】
前記特定の位置のビットを指定する指定部、をさらに備えた、
請求項３に記載の無線タグ読取装置。
【請求項６】
無線タグ読取装置としてのコンピュータを、
無線タグから受信した、無線タグが記憶する複数ビットで構成される第１タグ情報を記憶する第１記憶部と、
無線タグから受信した、前記第１タグ情報のうちの特定のビットより後ろの全てのビットで構成される第２タグ情報を記憶する第２記憶部と、
前記第１タグ情報に含まれる前記特定のビットより後ろの所定領域の第１データと前記第２タグ情報に含まれる前記所定領域の第２データが一致した場合に前記第１タグ情報を有効なタグ情報とするタグ情報判別部と、
して機能させるためのプログラム。
【発明の詳細な説明】
【技術分野】
【０００１】
本発明の実施形態は、無線タグ読取装置およびプログラムに関する。
【背景技術】
【０００２】
最近は、量販店、スーパーマーケット、コンビニエンスストア等の店舗において、商品に当該商品に係るタグ情報を記憶したＲＦＩＤ（Radio  Frequency  Identifier）タグ等の無線タグを付し、当該無線タグから送信されたタグ情報を読み取って商品を特定する無線タグ読取装置が用いられている。このような無線タグ読取装置は、無線タグに対してコマンドを含む電波を送信し、この電波を受信した無線タグは、自身に記憶されている商品に係るタグ情報を送信する。無線タグ読取装置は、無線タグから送信されたタグ情報を受信する。
【０００３】
この無線タグ読取装置は店舗で販売する商品の売上登録処理を行うＰＯＳ（Point  of  Sales）端末とともにレーンに設けられることがある。そのため、店舗内に複数台のレーンが配置されている無線タグ読取システムでは、無線タグ読取装置も各レーンに設置されている。そして、隣り合うレーンが接近して設置された場合には、それぞれの無線タグ読取装置も接近して設けられる。
【０００４】
ところで、隣り合うレーンが近接している場合、無線タグ読取装置から送信される電波は、自身のレーンに載置された商品に付された無線タグには届くが、隣のレーンに載置された商品に付された無線タグまでは届かないように出力を調整して送信する。しかしながら、無線タグから送信されるタグ情報は、無線タグ読取装置から送信される電波より広範囲に届く性質があるため、隣のレーンに載置された商品に付された無線タグから送信されたタグ情報を自身のレーンの無線タグ読取装置でも受信する可能性がある。無線タグ読取装置が隣のレーンの商品のタグ情報を受信すると、誤読に繋がる。
【発明の概要】
【発明が解決しようとする課題】
【０００５】
本発明が解決しようとする課題は、隣り合うレーンが接近していても誤読が発生しない無線タグ読取装置およびプログラムを提供することである。
【課題を解決するための手段】
【０００６】
実施形態の無線タグ読取装置は、無線タグから受信した、無線タグが記憶する複数ビットで構成される第１タグ情報を記憶する第１記憶部と、無線タグから受信した、前記第１タグ情報のうちの特定のビットより後ろの全てのビットで構成される第２タグ情報を記憶する第２記憶部と、前記第１タグ情報に含まれる前記特定のビットより後ろの所定領域の第１データと前記第２タグ情報に含まれる前記所定領域の第２データが一致した場合に前記第１タグ情報を有効なタグ情報とするタグ情報判別部と、を備える。
【図面の簡単な説明】
【０００７】
【図１】図１は、実施形態にかかる複数のレーンに設置された無線タグ読取装置を示す説明図である。
【図２】図２は、無線タグが送信したトランケートしていないタグ情報のデータ構成を示す説明図である。
【図３】図３は、無線タグ読取装置のハードウェア構成を示すブロック図である。
【図４】図４は、ＰＯＳ端末のハードウェア構成を示すブロック図である。
【図５】図５は、無線タグ読取装置の機能構成を示す機能ブロック図である。
【図６】図６は、無線タグ読取装置１ａが送信した電波を受信した無線タグが送信したトランケートしたタグ情報のデータ構成を示す説明図である。
【図７】図７は、無線タグ読取装置１ｂが送信した電波を受信した無線タグが送信したトランケートしたタグ情報のデータ構成を示す説明図である。
【図８】図８は、無線タグ読取装置１ｃが送信した電波を受信した無線タグが送信したトランケートしたタグ情報のデータ構成を示す説明図である。
【図９】図９は、無線タグ読取装置の制御処理の流れを示すフローチャートである。
【発明を実施するための形態】
【０００８】
以下、図面を参照して、実施形態に係る無線タグ読取装置およびプログラムについて説明する。実施形態では、ＲＦＩＤタグを無線タグの一例として説明する。またＰＯＳ端末を販売データ処理装置の一例として説明する。なお、以下に説明する実施形態により、この発明が限定されるものではない。
【０００９】
図１は、実施形態にかかる複数のレーンに設置された無線タグ読取装置を示す説明図である。店舗の精算部には、複数本のレーン４が近接して（例えば１メートル程度の間隔）に設けられている（図１の例では、レーン４ａ、レーン４ｂ、レーン４ｃの３本のレーンが近接して設けられている）。レーン４は、平面状の上面を有する略直方形状の台である。レーン４は、無線タグ読取装置１とアンテナ２３とＰＯＳ端末５を備えている。無線タグ読取装置１とアンテナ２３は電気的に接続されている。また、無線タグ読取装置１とＰＯＳ端末５は電気的に接続されている。
【００１０】
無線タグ読取装置１は、上面の下方に設置される。アンテナ２３は、上面の位置に位置するか上面に近接させて埋め込まれる。
【００１１】
顧客は、レーン４の上面のアンテナ２３で囲まれる領域内に、購入する商品、または購入する商品が入ったカゴ等を載置する。無線タグ読取装置１は、アンテナ２３からコマンドを含む電波を送信する。電波は、自身のレーン４上に載置された商品に付された無線タグのみに届く。
【００１２】
無線タグとは、アンテナと記憶部を有し、無線タグ読取装置１から送信された電波をアンテナが受信すると電力が発生し、発生した電力によって記憶部に記憶されているタグ情報を送信するタグである。無線タグは、粘着面を有し、粘着力で商品に貼付される。なお、無線タグは商品にバンド等で取り付けられていてもよい。
【００１３】
ここで無線タグに記憶されているタグ情報について説明する。図２は、無線タグ読取装置が受信したタグ情報のデータ構成を示す説明図である。図２に示すように、タグ情報ＴＮは、サイズＴＮ１、ヘッダＴＮ２、企業名ＴＮ３、商品コードＴＮ４、シリアルＮｏＴＮ５、ＣＲＣ（Cyclic  Redundancy  Check）ＴＮ６の各データで構成されている。サイズＴＮ１は、タグ情報のサイズを表すデータであり、例えば３２ビット（０ビット目〜３１ビット目）で構成される。ヘッダＴＮ２はタグ情報のヘッダであり、例えば１４ビット（３２ビット目〜４５ビット目）で構成される。企業名ＴＮ３は、無線タグが付されている商品を生産または製造した企業の企業名であり、例えば４０ビット（４６ビット目〜６５ビット目）で構成される。商品コードＴＮ４は、無線タグが付されている商品を特定する（例えば○○牛乳）商品特定情報であり、例えば２４ビット（６６ビット目〜８９ビット目）で構成される。シリアルＮｏＴＮ５は、商品を個品として一意に特定するための個品特定情報であり、例えば３８ビット（９０ビット目〜１２３ビット目）で構成される。ＣＲＣＴＮ６は、タグ情報が正しく受信したかをチェックするためのチェックデジットとして機能し、例えば４ビット（１２４ビット目〜１２７ビット目）で構成される。なお、例えば商品コードＴＮ４またはシリアルＮｏＴＮ５は、当該商品の商品名や価格を含んでいてもよい。
【００１４】
なお、ヘッダＴＮ２、企業名ＴＮ３、商品コードＴＮ４、シリアルＮｏＴＮ５、ＣＲＣＴＮ６で構成されるデータを以降ＩＤと呼ぶ。
【００１５】
電波を受信した無線タグは、コマンドに応答して、無線タグに記憶されたタグ情報をアンテナ２３に送信する。無線タグ読取装置１は、アンテナ２３を介して、無線タグから送信されたタグ情報を受信する。また、無線タグ読取装置１は、受信したタグ情報を記憶する。無線タグ読取装置１は、記憶したタグ情報をＰＯＳ端末５に送信する。
【００１６】
無線タグ読取装置１は、無線タグに記憶されているすべてのデータを第１タグ情報として受信する。また、無線タグ読取装置１は、電波を送信する際にタグ情報の特定位置のビットを指定した情報を付加すると、無線タグは、指定されたビット目以前のデータを削除し（トランケートし）、指定されたビット目より後ろのすべてのビットで構成されるデータを第２タグ情報として送信する。トランケートとは、情報を削除するという意味である。
【００１７】
近接する複数台のレーン４に設置された無線タグ読取装置１において、少なくとも隣り合う無線タグ読取装置１は、互いに異なる位置を特定ビットとして指定する。なお、すべての無線タグ読取装置１において、それぞれ異なる位置を特定ビットとして指定してもよい。また、隣り合う無線タグ読取装置１でなければ同一の位置を特定ビットとして指定してもよい。例えば図１において、無線タグ読取装置１ａと無線タグ読取装置１ｃは同一の位置を特定ビットとして指定し、無線タグ読取装置１ｂは、異なる位置を特定ビットとして指定してもよい。実施形態では、無線タグ読取装置１ａ、無線タグ読取装置１ｂ、無線タグ読取装置１ｃは、それぞれ異なるビット位置を指定する。
【００１８】
ＰＯＳ端末５は、販売される商品の売上登録処理および決済処理を実行する。売上登録処理とは、ＰＯＳ端末５が無線タグ読取装置１から受信したタグ情報に含まれる商品コードに基づいて、商品マスタ５４２（図４を参照）から当該商品の商品情報（商品名、価格等）読み出し、読み出した当該商品の商品情報を表示するとともに、商品情報を商品情報部５３１（図４を参照）に記憶する処理をいう。決済処理とは、売上登録処理に伴い商品情報部５３１に記憶された商品情報に基づいて、取引に係る合計金額や税額の表示、顧客から預かった預り金に基づいて釣銭を計算して表示する処理、商品情報や決済情報（合計金額、預り金額、釣銭額等）を印字したレシートを発行する処理等をいう。なお、商品情報と決済情報を合わせた情報を売上情報という。
【００１９】
次に、無線タグ読取装置１のハードウェア構成について説明する。図３は、無線タグ読取装置１のハードウェア構成を示すブロック図である。図３に示すように、無線タグ読取装置１は、ＣＰＵ（Central  Processing  Unit）１１、ＲＯＭ（Read  Only  Memory）１２、ＲＡＭ（Random  Access  Memory）１３、メモリ部１４等を備えている。ＣＰＵ１１は制御主体となる。ＲＯＭ１２は各種プログラムを記憶する。ＲＡＭ１３はプログラムや各種データを展開する。メモリ部１４は各種プログラムを記憶する。ＣＰＵ１１、ＲＯＭ１２、ＲＡＭ１３、メモリ部１４は、互いにバス１５を介して接続されている。ＣＰＵ１１とＲＯＭ１２とＲＡＭ１３が、制御部１００を構成する。すなわち、制御部１００は、ＣＰＵ１１がＲＯＭ１２やメモリ部１４に記憶されＲＡＭ１３に展開された制御プログラムに従って動作することによって、後述する無線タグ読取装置１の制御処理を実行する。
【００２０】
ＲＡＭ１３は、第１タグ情報記憶部１３１、第２タグ情報記憶部１３２およびタグ情報記憶部１３３を備える。第１タグ情報記憶部１３１は、第１タグ情報を記憶する。第２タグ情報記憶部１３２は、第２タグ情報を記憶する。タグ情報記憶部１３３は、後述する有効とされた第１タグ情報を記憶する。
【００２１】
メモリ部１４は、ＨＤＤ（Hard  Disc  Drive）やフラッシュメモリ等で構成されており、電源を遮断しても記憶内容を維持する。メモリ部１４は、制御プログラム部１４１を備える。制御プログラム部１４１は無線タグ読取装置１を制御するための制御プログラムを記憶する。
【００２２】
制御部１００は、バス１５とコントローラ１６を介して、操作部２１、表示部２２、アンテナ２３、商品載置センサ２４を接続する。操作部２１は、タグ情報記憶部１３３に記憶されたタグ情報をＰＯＳ端末５に送信するための送信キー２１１を含むキーボードである。表示部２２は、情報を表示する。商品載置センサ２４は、商品がアンテナ２３内に載置された場合に、商品が載置されたことを検知して出力するセンサである。
【００２３】
また、制御部１００は、バス１５を介して、通信インタフェース（Ｉ／Ｆ）２５と接続している。通信インタフェース２５は、同一のレーン４に設置されているＰＯＳ端末５に対して情報を送信可能に接続している。
【００２４】
次に、ＰＯＳ端末５のハードウェアについて説明する。図４は、ＰＯＳ端末５のハードウェア構成を示すブロック図である。図２に示すように、ＰＯＳ端末５は、ＣＰＵ５１、ＲＯＭ５２、ＲＡＭ５３、メモリ部５４等を備えている。ＣＰＵ５１は制御主体となる。ＲＯＭ５２は各種プログラムを記憶する。ＲＡＭ５３はプログラムや各種データを展開する。メモリ部５４は各種プログラムを記憶する。ＣＰＵ５１、ＲＯＭ５２、ＲＡＭ５３、メモリ部５４は、互いにバス５５を介して接続されている。ＣＰＵ５１とＲＯＭ５２とＲＡＭ５３が、制御部５００を構成する。すなわち、制御部５００は、ＣＰＵ５１がＲＯＭ５２やメモリ部５４に記憶されＲＡＭ５３に展開された制御プログラムに従って動作することによって、後述するＰＯＳ端末５の制御処理を実行する。
【００２５】
ＲＡＭ５３は、商品情報部５３１を備える。商品情報部５３１は、ＰＯＳ端末５が売上登録処理を行った商品の商品情報（商品名、商品の価格、等）を記憶する。
【００２６】
メモリ部５４は、ＨＤＤやフラッシュメモリ等で構成されており、電源を遮断しても記憶内容を維持する。メモリ部５４は、制御プログラム部５４１と商品マスタ５４２を備える。制御プログラム部５４１はＰＯＳ端末５を制御するための制御プログラムを記憶する。商品マスタ５４２は、店舗で販売される商品について、商品を特定する商品コードに対応付けて当該商品の商品名、単価等を記憶する。
【００２７】
制御部５００は、バス５５とコントローラ５６を介して、操作部６１、店員用表示部６２、客用表示部６３、プリンタ６４、カードリーダ６５を接続する。操作部６１は、キーボードである。店員用表示部６２は、店員に向けて商品情報や決済情報等の情報を表示する。客用表示部６３は、顧客に向けて商品情報や決済情報等の情報を表示する。プリンタ６４は、商品情報や決済情報等を印字したレシートを発行する。カードリーダ６５は、クレジットカード等のカード情報を読み取る。
【００２８】
また、制御部５００は、バス５５を介して、通信インタフェース（Ｉ／Ｆ）６５と接続している。通信インタフェース６６は、同一のレーン４に設置されている無線タグ読取装置１および他のレーンのＰＯＳ端末５に対して情報の送受信可能に接続している。
【００２９】
ここからは、無線タグ読取装置１の機能構成について説明する。図５は、無線タグ読取装置１の機能構成を示す機能ブロック図である。図５に示すように、無線タグ読取装置１の制御部１００は、制御プログラム部１４１に記憶され、ＲＡＭ１３に展開された制御プログラムに従うことで、第１送信部１０１、第１記憶部１０２、第２送信部１０３、第２記憶部１０４、タグ情報判断部１０５、第３送信部１０６、指定部１０７として機能する。
【００３０】
第１送信部１０１は、ビット位置を指定せずに電波を送信する。第１送信部１０１が、ビット位置を指定せずに電波を送信すると、この電波を受信した無線タグは、記憶しているすべてのタグ情報である第１タグ情報（すなわち、サイズＴＮ１、ヘッダＴＮ２、企業名ＴＮ３、商品コードＴＮ４、シリアルＮｏＴＮ５、ＣＲＣＴＮ６に係るすべての情報）を送信する。すなわち、無線タグは、記憶しているタグ情報をトランケートすることなく送信する。なお、無線タグ読取装置１ａから送信された電波に応答した無線タグから送信された第１タグ情報のＩＤ（所定領域の第１データ）は、３３ビット目〜１２３ビット目に予め決められている。また、無線タグ読取装置１ｂから送信された電波に応答した無線タグから送信された第１タグ情報のＩＤ（所定領域の第１データ）は、３４ビット目〜１２３ビット目に予め決められている。また、無線タグ読取装置１ｃから送信された電波に応答した無線タグから送信された第１タグ情報のＩＤ（所定領域の第１データ）は、３５ビット目〜１２３ビット目に予め決められている。
【００３１】
第１記憶部１０２は、無線タグから受信したトランケートされていない第１タグ情報を第１タグ情報記憶部１３１に記憶する。この場合、無線タグ読取装置１ａの第１記憶部１０２は、レーン４ａに載置された商品に付された無線タグから受信した第１タグ情報の他に、レーン４ｂまたはレーン４ｃに載置された商品に付された無線タグから受信した第１タグ情報を受信することがある。また、無線タグ読取装置１ｂの第１記憶部１０２は、レーン４ｂに載置された商品に付された無線タグから受信した第１タグ情報の他に、レーン４ａまたはレーン４ｃに載置された商品に付された無線タグから受信した第１タグ情報を受信することがある。また、無線タグ読取装置１ｃの第１記憶部１０２は、レーン４ｃに載置された商品に付された無線タグから受信した第１タグ情報の他に、レーン４ａまたはレーン４ｂに載置された商品に付された無線タグから受信した第１タグ情報を受信することがある。
【００３２】
第２送信部１０３は、ビット位置を指定した電波を送信する。第２送信部１０３が、ビット位置を指定した電波を送信すると、この電波を受信した無線タグは、記憶しているすべてのタグ情報のうち、指定されたビットを含む０ビット目〜指定されたビット目の情報を削除し、指定されたビットの次のビット目〜最後のビット目の情報を、第２タグ情報として送信する。
【００３３】
図６、図７、図８を用いて詳細に説明する。図６は、無線タグ読取装置１ａが送信した電波を受信した無線タグが送信したトランケートした第２タグ情報のデータ構成を示す説明図である。図６に示すように、無線タグ読取装置１ａの第２送信部１０３は、３２ビット目を指定した電波を無線タグに送信する。３２ビット目はヘッダの１番目のビットである。この電波を受信した無線タグは、０ビット目〜３２ビット目を削除し（トランケートし）、３３ビット目〜１２７ビット目の第２タグ情報を送信する。すなわち、無線タグは、ヘッダＴＮ２の１ビット目を除く１３ビット（３３ビット目〜４５ビット目）、企業名ＴＮ３の４０ビット（４６ビット目〜６５ビット目）、商品コードＴＮ４の２４ビット（６６ビット目〜８９ビット目）、シリアルＮｏＴＮ５の３８ビット（９０ビット目〜１２３ビット目）、ＣＲＣＴＮ６の４ビット（１２４ビット目〜１２７ビット目）で構成される第２タグ情報を送信する。また、ＩＤ（所定領域の第２データ）は３３ビット目〜１２３ビット目である。
【００３４】
図７は、無線タグ読取装置１ｂが送信した電波を受信した無線タグが送信したトランケートしたタグ情報のデータ構成を示す説明図である。図７に示すように、実施形態では、無線タグ読取装置１ｂの第２送信部１０３は、３３ビット目を指定した電波を無線タグに送信する。３３ビット目はヘッダの２番目のビットである。この電波を受信した無線タグは、０ビット目〜３３ビット目を削除し（トランケートし）、３４ビット目〜１２７ビット目の第２タグ情報を送信する。すなわち、無線タグは、ヘッダＴＮ２の１ビットと２ビット目を除く１２ビット（３４ビット目〜４５ビット目）、企業名ＴＮ３の４０ビット（４６ビット目〜６５ビット目）、商品コードＴＮ４の２４ビット（６６ビット目〜８９ビット目）、シリアルＮｏＴＮ５の３８ビット（９０ビット目〜１２３ビット目）、ＣＲＣＴＮ６の４ビット（１２４ビット目〜１２７ビット目）で構成される第２タグ情報を送信する。また、ＩＤ（所定領域の第２データ）は３４ビット目〜１２３ビット目である。
【００３５】
図８は、無線タグ読取装置１ｃが送信した電波を受信した無線タグが送信したトランケートしたタグ情報のデータ構成を示す説明図である。図８に示すように、実施形態では、無線タグ読取装置１ｃの第２送信部１０３は、３４ビット目を指定した電波を無線タグに送信する。３４ビット目はヘッダの３番目のビットである。この電波を受信した無線タグは、０ビット目〜３４ビット目を削除し（トランケートし）、３５ビット目〜１２７ビット目の第２タグ情報を送信する。すなわち、無線タグは、ヘッダＴＮ２の１ビット〜３ビット目を除く１１ビット（３５ビット目〜４５ビット目）、企業名ＴＮ３の４０ビット（４６ビット目〜６５ビット目）、商品コードＴＮ４の２４ビット（６６ビット目〜８９ビット目）、シリアルＮｏＴＮ５の３８ビット（９０ビット目〜１２３ビット目）、ＣＲＣＴＮ６の４ビット（１２４ビット目〜１２７ビット目）で構成される第２タグ情報を送信する。また、ＩＤ（所定領域の第２データ）は３５ビット目〜１２３ビット目である。
【００３６】
第２記憶部１０４は、無線タグから受信した一部情報がトランケートされた（すなわち、特定のビットより後ろの全てのビットで構成される）第２タグ情報を第２タグ情報記憶部１３２に記憶する。この場合、無線タグ読取装置１ａの第２記憶部１０４は、レーン４ａに載置された商品に付された無線タグから受信した第２タグ情報の他に、レーン４ｂまたはレーン４ｃに載置された商品に付された無線タグから受信した第２タグ情報を受信することがある。また、無線タグ読取装置１ｂの第２記憶部１０４は、レーン４ｂに載置された商品に付された無線タグから受信した第２タグ情報の他に、レーン４ａまたはレーン４ｃに載置された商品に付された無線タグから受信した第２タグ情報を受信することがある。また、無線タグ読取装置１ｃの第２記憶部１０４は、レーン４ｃに載置された商品に付された無線タグから受信した第２タグ情報の他に、レーン４ａまたはレーン４ｂに載置された商品に付された無線タグから受信した第２タグ情報を受信することがある。
【００３７】
タグ情報判断部１０５は、第１記憶部１０２に記憶された第１タグ情報のＩＤと第２記憶部１０４に記憶された第２タグ情報のＩＤとを比較して、第２タグ情報のＩＤと一致する第１タグ情報のＩＤの有無を判断する。タグ情報判断部１０５は、第２タグ情報のＩＤと一致する第１タグ情報のＩＤが第１記憶部１０２に存在すると判断した場合は、当該第１タグ情報を有効なタグ情報としてタグ情報記憶部１３３に記憶する。タグ情報判断部１０５は、第２タグ情報のＩＤと一致する第１タグ情報のＩＤが第１記憶部１０２に存在しないと判断した場合は、第１タグ情報をタグ情報記憶部１３３に記憶しない。すなわち、タグ情報判断部１０５は、有効なタグ情報としない。
【００３８】
無線タグ読取装置１ａのタグ情報判断部１０５は、第１記憶部１０２に記憶された第１タグ情報のＩＤ（すなわち、３３ビット目〜１２３ビット目）と第２記憶部１０４に記憶された第２タグ情報のＩＤとを比較する。
【００３９】
無線タグ読取装置１ａから送信された電波は、レーン４ａに載置した商品の無線タグには届くが、レーン４ｂに載置した商品およびレーン４ｃに載置した商品の無線タグには届かない。しかしながら、レーン４ａに載置した商品の無線タグから送信されたタグ情報（第１タグ情報、第２タグ情報）は、無線タグ読取装置１ｂまたは無線タグ読取装置１ｃで受信される可能性がある。また、無線タグ読取装置１ｂから送信された電波は、レーン４ｂに載置した商品の無線タグには届くが、レーン４ａに載置した商品およびレーン４ｃに載置した商品の無線タグには届かない。しかしながら、レーン４ｂに載置した商品の無線タグから送信されたタグ情報（第１タグ情報、第２タグ情報）は、無線タグ読取装置１ａまたは無線タグ読取装置１ｃで受信される可能性がある。また、無線タグ読取装置１ｃから送信された電波は、レーン４ｃに載置した商品の無線タグには届くが、レーン４ａに載置した商品およびレーン４ｂに載置した商品の無線タグには届かない。しかしながら、レーン４ｃに載置した商品の無線タグから送信されたタグ情報（第１タグ情報、第２タグ情報）は、無線タグ読取装置１ａまたは無線タグ読取装置１ｂで受信される可能性がある。
【００４０】
そして、レーン４ａに載置された商品に付された無線タグから受信した第２タグ情報のＩＤは、３３ビット目〜１２３ビット目である。これに対して、レーン４ｂに載置された商品に付された無線タグから受信した第２タグ情報のＩＤは、３４ビット目〜１２３ビット目であり、レーン４ｃに載置された商品に付された無線タグから受信した第２タグ情報のＩＤは、３５ビット目〜１２３ビット目である。そのため、無線タグ読取装置１ａのタグ情報判断部１０５が第１記憶部１０２に記憶された第１タグ情報のＩＤと第２記憶部１０４に記憶された第２タグ情報のＩＤとを比較すると、レーン４ａに載置された商品に付された無線タグから受信した第２タグ情報のＩＤ（３３ビット目〜１２３ビット目）は、第１タグ情報のＩＤ（３３ビット目〜１２３ビット目）と桁数が一致するため、第１タグ情報のＩＤと一致する。しかしながら、レーン４ｂに載置された商品に付された無線タグから受信した第２タグ情報のＩＤ（３４ビット目〜１２３ビット目）は、第１タグ情報のＩＤ（３３ビット目〜１２３ビット目）と桁数が一致しないため、第１タグ情報のＩＤと一致しない。同様に、レーン４ｃに載置された商品に付された無線タグから受信した第２タグ情報のＩＤ（３５ビット目〜１２３ビット目）は、第１タグ情報のＩＤ（３３ビット目〜１２３ビット目）と桁数が一致しないため、第１タグ情報のＩＤと一致しない。
【００４１】
そのため、無線タグ読取装置１ａのタグ情報判断部１０５は、レーン４ａに載置された商品に付された無線タグから送信された第１タグ情報のみを有効なタグ情報として、タグ情報記憶部１３３に記憶する。また、無線タグ読取装置１ａのタグ情報判断部１０５は、レーン４ｂに載置された商品に付された無線タグから送信された第１タグ情報と、レーン４ｃに載置された商品に付された無線タグから送信された第１タグ情報は、有効なタグ情報とせず、タグ情報記憶部１３３に記憶しない。
【００４２】
また、無線タグ読取装置１ｂのタグ情報判断部１０５が第１タグ情報のＩＤと第２タグ情報のＩＤとを比較すると、レーン４ｂに載置された商品に付された無線タグから受信した第２タグ情報のＩＤ（３４ビット目〜１２３ビット目）は、第１タグ情報のＩＤ（３４ビット目〜１２３ビット目）と桁数が一致するため、第１タグ情報のＩＤと一致する。しかしながら、レーン４ａに載置された商品に付された無線タグから受信した第２タグ情報のＩＤ（３３ビット目〜１２３ビット目）は、第１タグ情報のＩＤ（３４ビット目〜１２３ビット目）と桁数が一致しないため、第１タグ情報のＩＤと一致しない。同様に、レーン４ｃに載置された商品に付された無線タグから受信した第２タグ情報のＩＤ（３５ビット目〜１２３ビット目）は、第１タグ情報のＩＤ（３４ビット目〜１２３ビット目）と桁数が一致しないため、第１タグ情報のＩＤと一致しない。
【００４３】
そのため、レーン４ｂの無線タグ読取装置１ｂにおけるタグ情報判断部１０５は、レーン４ｂに載置された商品に付された無線タグから送信された第１タグ情報のみを有効なタグ情報として、タグ情報記憶部１３３に記憶する。また、無線タグ読取装置１ｂのタグ情報判断部１０５は、レーン４ａに載置された商品に付された無線タグから送信された第１タグ情報と、レーン４ｃに載置された商品に付された無線タグから送信された第１タグ情報は、有効なタグ情報とせず、タグ情報記憶部１３３に記憶しない。
【００４４】
また、無線タグ読取装置１ｃのタグ情報判断部１０５が第１タグ情報のＩＤと第２タグ情報のＩＤとを比較すると、レーン４ｃに載置された商品に付された無線タグから受信した第２タグ情報のＩＤ（３５ビット目〜１２３ビット目）は、第１タグ情報のＩＤ（３５ビット目〜１２３ビット目）と桁数が一致するため、第１タグ情報のＩＤと一致する。しかしながら、レーン４ａに載置された商品に付された無線タグから受信した第２タグ情報のＩＤ（３３ビット目〜１２３ビット目）は、第１タグ情報のＩＤ（３５ビット目〜１２３ビット目）と桁数が一致しないため、第１タグ情報のＩＤと一致しない。同様に、レーン４ｂに載置された商品に付された無線タグから受信した第２タグ情報のＩＤ（３４ビット目〜１２３ビット目）は、第１タグ情報のＩＤ（３５ビット目〜１２３ビット目）と桁数が一致しないため、第１タグ情報のＩＤと一致しない。
【００４５】
そのため、レーン４ｃの無線タグ読取装置１ｃにおけるタグ情報判断部１０５は、レーン４ｃに載置された商品に付された無線タグから送信された第１タグ情報のみを有効なタグ情報として、タグ情報記憶部１３３に記憶する。また、無線タグ読取装置１ｃのタグ情報判断部１０５は、レーン４ａに載置された商品に付された無線タグから送信された第１タグ情報と、レーン４ｂに載置された商品に付された無線タグから送信された第１タグ情報は、有効なタグ情報とせず、タグ情報記憶部１３３に記憶しない。
【００４６】
第３送信部１０６は、タグ情報記憶部１３３に記憶されている第１タグ情報をＰＯＳ端末５に送信する。ＰＯＳ端末５は、第３送信部１０６が送信した第１タグ情報に基づいて、商品の売上登録処理や決済処理を実行する。
【００４７】
指定部１０７は、特定の位置のビットを指定する機能を有する。指定部１０７は、各無線タグ読取装置１において、個別に特定の位置のビットを指定する。指定部１０７は、隣り合う無線タグ読取装置１において、それぞれ異なる位置の特定のビットを指定する。
【００４８】
次に、無線タグ読取装置１の制御について説明する。図９は、無線タグ読取装置１の制御処理の流れを示すフローチャートである。図９に示すように、無線タグ読取装置１の制御部１００は、商品載置センサ２４がレーン４に載置された商品を検知したかを判断する（Ｓ１１）。商品載置センサ２４が商品を検知するまで待機し（Ｓ１１のＮｏ）、商品載置センサ２４が商品を検知したと判断した場合には（Ｓ１１のＹｅｓ）、第１送信部１０１は、アンテナ２３から、ビット位置を指定せずに電波を送信する（Ｓ１２）。
【００４９】
次に制御部１００は、Ｓ１２で送信した電波に応答した第１タグ情報を受信したかを判断する（Ｓ１３）。受信するまで待機し（Ｓ１３のＮｏ）、Ｓ１２で送信した電波に応答した第１タグ情報を受信したと判断した場合には（Ｓ１３のＹｅｓ）、制御部１００は、ＣＲＣ部ＴＮ６に記憶されているチェックデータと、０ビット目〜１２３ビット目に記憶されている情報に基づいて重み付けをして計算したチェックデータとが一致しているかを判断する（Ｓ１４）。一致していない場合には（Ｓ１４のＮｏ）、当該第１タグ情報を読み捨てる（Ｓ１７）。そして制御部１００は、Ｓ１１に戻る。ＣＲＣ部ＴＮ６に記憶されているチェックデータと、０ビット目〜１２３ビット目に記憶されている情報に基づいて重み付けをして計算したチェックデータとが一致していると判断した場合には（Ｓ１４のＹｅｓ）、第１記憶部１０２は、受信した第１タグ情報を第１タグ情報記憶部１３１に記憶する（Ｓ１５）。
【００５０】
次に制御部１００は、所定時間が経過したかを判断する（Ｓ１６）。Ｓ１６における所定時間は、Ｓ１２において電波を送信してから、すべての商品に付された無線タグから第１タグ情報を受信するのに充分な時間である。所定時間が経過していないと判断した場合には（Ｓ１６のＮｏ）、制御部１００は、Ｓ１３に戻り、Ｓ１３〜Ｓ１５、Ｓ１７の判断と処理を繰り返す。所定時間が経過したと判断した場合には（Ｓ１６のＹｅｓ）、指定部１０７は、０ビット〜１２７ビットの中から特定の位置を指定する（Ｓ２１）。無線タグ読取装置１ａは、予め３２ビット目を指定するように設定されているため、無線タグ読取装置１ａの指定部１０７は、Ｓ２１において３２ビット目を指定する。無線タグ読取装置１ｂは、予め３３ビット目を指定するように設定されているため、無線タグ読取装置１ｂの指定部１０７は、Ｓ２１において３３ビット目を指定する。無線タグ読取装置１ｃは、予め３４ビット目を指定するように設定されているため、無線タグ読取装置１ｃの指定部１０７は、Ｓ２１において３４ビット目を指定する。そして、第２送信部１０３は、指定部１０７が指定した特定の位置のビット情報を含む電波をアンテナ２３から送信する（Ｓ２２）。
【００５１】
次に制御部１００は、Ｓ２２で送信した電波に応答した第２タグ情報を受信したかを判断する（Ｓ２３）。受信するまで待機し（Ｓ２３のＮｏ）、Ｓ２２で送信した電波に応答した第２タグ情報を受信したと判断した場合には（Ｓ２３のＹｅｓ）、第２記憶部１０４は、受信した第２タグ情報を第２タグ情報記憶部１３２に記憶する（Ｓ２４）。
【００５２】
次にタグ情報判断部１０５は、第１タグ情報記憶部１３１に記憶した第１タグ情報に含まれるＩＤと、第２タグ情報記憶部１３２に記憶した第２タグ情報に含まれるＩＤとを比較する（Ｓ２５）。そしてタグ情報判断部１０５は、第１タグ情報に含まれるＩＤと第２タグ情報に含まれるＩＤとが一致しているかを判断する（Ｓ２６）。すなわち、タグ情報判断部１０５は、第１タグ情報記憶部１３１に記憶した第１タグ情報に含まれるＩＤに、第２タグ情報記憶部１３２に記憶した第２タグ情報に含まれるＩＤと一致したＩＤを有する第１タグ情報があるかを判断する（Ｓ２６）。第２タグ情報記憶部１３２に記憶した第２タグ情報に含まれるＩＤと一致したＩＤを有する第１タグ情報が第１タグ情報記憶部１３１に記憶されていると判断した場合には（Ｓ２６のＹｅｓ）、制御部１００は、当該第１タグ情報を有効なタグ情報としてタグ情報記憶部１３３に記憶する（Ｓ２７）。
【００５３】
次に制御部１００は、所定時間が経過したかを判断する（Ｓ２８）。Ｓ２８における所定時間は、Ｓ２２において電波を送信してから、すべての商品に付された無線タグから第２タグ情報を受信するのに充分な時間である。所定時間が経過していないと判断した場合には（Ｓ２８のＮｏ）、制御部１００は、Ｓ２３に戻り、Ｓ２３〜Ｓ２７の判断と処理を繰り返す。所定時間が経過したと判断した場合には（Ｓ２８のＹｅｓ）、制御部１００は、送信キー２１１が操作されたかを判断する（Ｓ２９）。送信キー２１１が操作されるまで待機し（Ｓ２９のＮｏ）、送信キー２１１が操作されたと判断した場合には（Ｓ２９のＹｅｓ）、第３送信部１０６は、タグ情報記憶部１３３に記憶されている有効な第１タグ情報を、ＰＯＳ端末５に送信する（Ｓ３０）。そして制御部１００は、Ｓ１１に戻る。
【００５４】
なお、Ｓ２６において、第２タグ情報記憶部１３２に記憶した第２タグ情報に含まれるＩＤと一致したＩＤを有する第１タグ情報が第１タグ情報記憶部１３１に記憶されていないと判断した場合には（Ｓ２６のＮｏ）、制御部１００は、いずれの第１タグ情報もタグ情報記憶部１３３に記憶することなく（当該第２タグ情報に対応した有効な第１タグ情報はないとして）、Ｓ２８以降の処理を実行する。
【００５５】
このような実施形態によれば、無線タグ読取装置１（例えば無線タグ読取装置１ａ）が、自身のレーン（例えばレーン４ａ）以外のレーン（例えばレーン４ｂやレーン４ｃ）に載置された商品に付された無線タグから第１タグ情報や第２タグ情報を受信した場合であっても、自身のレーンの商品のタグ情報のみを有効なタグ情報とする。そのため、隣り合うレーンが接近していても誤読が発生しない。
【００５６】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００５７】
例えば、実施形態では、無線タグ読取装置１とＰＯＳ端末５を別々の装置として説明した。しかしながらこれに限らず、例えば、無線タグ読取装置１の機能とＰＯＳ端末５の機能を備えた装置を無線タグ読取装置としてもよい。
【００５８】
また、実施形態では、ヘッダＴＮ２、企業名ＴＮ３、商品コードＴＮ４、シリアルＮｏＴＮ５、ＣＲＣＴＮ６で構成されるデータをＩＤとした。しかしながらこれに限らず、ＩＤとするデータの項目は任意に設定すればよい。
【００５９】
なお、実施形態の無線タグ読取装置１で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供される。
【００６０】
また、実施形態の無線タグ読取装置１で実行されるプログラムを、インターネット等のネットワークに接続されたコンピュータ上に格納し、ネットワーク経由でダウンロードさせることにより提供するように構成しても良い。また、実施形態の無線タグ読取装置１で実行されるプログラムをインターネット等のネットワーク経由で提供または配布するように構成しても良い。
【００６１】
また、実施形態の無線タグ読取装置１で実行されるプログラムを、ＲＯＭ等に予め組み込んで提供するように構成してもよい。
【符号の説明】
【００６２】
１      無線タグ読取装置
４      レーン
５      ＰＯＳ端末
２３    アンテナ
１００  制御部
１０１  第１送信部
１０２  第１記憶部
１０３  第第２送信部
１０４  第２記憶部
１０５  タグ情報判断部
１０６  第３送信部
１０７  指定部
１３１  第１タグ情報記憶部
１３２  第２タグ情報記憶部
１３３  タグ情報記憶部
ＴＮ    タグ情報
【先行技術文献】
【特許文献】
【００６３】
【特許文献１】特開２００７−３１２１３３号公報
【図１】
2020112987.tif 000003
【図２】
2020112987.tif 000004
【図３】
2020112987.tif 000005
【図４】
2020112987.tif 000006
【図５】
2020112987.tif 000007
【図６】
2020112987.tif 000008
【図７】
2020112987.tif 000009
【図８】
2020112987.tif 000010
【図９】
2020112987.tif 000011